(57)【要約】  本発明はキャップ一体型使い捨てチューブ容器に関し、本発明によるキャップ一体型使い捨てチューブ容器は、キャップが連結部材を通じてチューブネックに一体に形成されるが、取り外し可能に、前記連結部材の外周面を囲んで取り外し溝が形成され、取り外された状態で反転して前記チューブネックに結合されるように構成されることによって、チューブ本体内に空気が流入されることを多重に遮断して、内容物が変質されることを最小化させることができ、且つ、キャップの開閉が容易で、使用者に便宜を提供することができるという長所がある。【選択図】なし
2013543466.tif 000002
【特許請求の範囲】
【請求項１】
内容物が収容されるチューブ本体と；
前記チューブ本体の上部に結合されるが、前記チューブ本体に収容された内容物が排出されるように排出孔が形成され、上部外周面にキャップが結合されるように係止突起が形成されるチューブネックと；
前記チューブネックの上部で連結部材を通じてチューブネックに一体に形成されるが、取り外し可能に、上記連結部材の外周面を囲んで取り外し溝が形成され、取り外された状態で反転して前記チューブネックに結合されるように前記排出孔に結合される排出孔開閉棒と、前記係止突起の下端に安着される安着突起とを含むキャップと；を含むことを特徴とするキャップ一体型使い捨てチューブ容器。
【請求項２】
前記キャップには前記排出孔開閉棒を囲んで突出して形成されて、前記チューブネックの上端を加圧する突出部が形成されることを特徴とする請求項１に記載のキャップ一体型使い捨てチューブ容器。
【発明の詳細な説明】
【技術分野】
【０００１】
本発明はキャップ一体型使い捨てチューブ容器に関し、さらに詳しくは、チューブ本体内に空気が流入されることを多重に遮断して、内容物が変質されることを最小化することによって、長期間保管した後にも内容物を使用することができるとともに、キャップの開閉が容易で、使用者に便宜を提供することができるキャップ一体型使い捨てチューブ容器に関する。
【背景技術】
【０００２】
一般に、使い捨てチューブ容器は大きさの小さい容器内に少量の内容物が収容されて、キャップを取り外す際に排出孔が開放されて使用可能に構成される。上記のような使い捨てチューブ容器は、使い捨てとして使用可能に構成されるため、キャップを取り外して開放した後には、閉鎖手段が具備されないため、一度開放すれば容器内に収容された内容物を全部使い切らなければならない構造からなる。
【０００３】
しかし、使用者によって内容物の使用量が異なり、一度に内容物を全部使えず数回に分けて使用する場合が発生する。しかし、上記のような使い捨てチューブ容器は、排出孔を閉鎖させる閉鎖手段が備えられないため、排出孔が開放された状態で保管することになり、それによって、空気の流入によって内容物の変質が発生されて、機能性化粧品、軟膏、着色薬等のような製品には適用することができないという問題点があった。
【０００４】
このような問題を解決するために、使い捨てチューブ容器のキャップを取り外した後、排出孔を閉鎖することができるように、キャップに排出孔開閉棒が備えられた製品が発売されたが、排出孔と排出孔開閉棒との間の間隔から空気が流入される構造であり、これによって、長期間保管の時、内容物が変質されるという問題点があった。
【０００５】
一方、排出孔開閉棒を排出孔の大きさと同じにして、キャップをチューブネックに結合することによって、空気の流入を遮断する場合、キャップの開閉が容易でなく、使用者に不便を与えるという問題点があった。
【発明の概要】
【発明が解決しようとする課題】
【０００６】
本発明は上述した問題点を解決するために案出されたもので、本発明の目的は、チューブ本体内に空気が流入されることを多重に遮断して、内容物が変質されることを最小化することによって、長期間保管した後にも内容物を使用することができるとともに、キャップの開閉が容易で、使用者に便宜を提供することができるキャップ一体型使い捨てチューブ容器を提供することにある。
【課題を解決するための手段】
【０００７】
上記のような問題点を解決するために、本発明によるキャップ一体型使い捨てチューブ容器は、内容物が収容されるチューブ本体と；上記チューブ本体の上部に結合され、上記チューブ本体に収容された内容物が排出されるように排出孔が形成され、上部外周面にキャップが結合されるように係止突起が形成されるチューブネックと；上記チューブネックの上部で連結部材を通じてチューブネックに一体に形成されて、取り外し可能に上記連結部材の外周面を囲んで切取取り外し溝が形成され、取り外された状態で反転して上記チューブネックに結合されるように上記排出孔に結合される排出孔開閉棒と、上記係止突起の下端に安着される安着突起をと含むキャップと；を含むことを特徴とする。
【０００８】
また、上記キャップには上記排出孔開閉棒を囲んで突出して形成され、上記チューブネックの上端を加圧する突出部が形成されることを特徴とする。
【発明の効果】
【０００９】
上述したように、本発明によるとチューブ本体内に空気が流入されることを多重に遮断して、内容物が変質されることを最小化することによって、長期間保管した後にも内容物を使用することができるとともに、キャップの開閉が容易で、使用者に便宜を提供することができるという長所がある。
【図面の簡単な説明】
【００１０】
【図１】本発明の好ましい実施形態によるキャップ一体型使い捨てチューブ容器の構成を示す斜視図である。
【図２】本発明の好ましい実施形態によるキャップ一体型使い捨てチューブ容器の構成を示す断面図である。
【図３】本発明の好ましい実施形態によるキャップ一体型使い捨てチューブ容器のキャップがチューブネックから取り外された状態を示す説明図である。
【図４】本発明の好ましい実施形態によるキャップ一体型使い捨てチューブ容器のキャップがチューブネックから取り外された後結合される状態を示す説明図である。
【発明を実施するための形態】
【００１１】
以下、図面を参照して本発明を詳しく説明する。各図面に提示された同じ符号は同じ部材を示す。
【００１２】
図１は本発明の好ましい実施形態によるキャップ一体型使い捨てチューブ容器の構成を示す斜視図であり、図２は本発明の好ましい実施形態によるキャップ一体型使い捨てチューブ容器の構成を示す断面図であり、図３は本発明の好ましい実施形態によるキャップ一体型使い捨てチューブ容器のキャップがチューブネックから取り外された状態を示す説明図であり、図４は本発明の好ましい実施形態によるキャップ一体型使い捨てチューブ容器のキャップがチューブネックから取り外された後結合される状態を示す説明図である。
【００１３】
図１〜図４によれば、本発明の好ましい実施形態によるキャップ一体型使い捨てチューブ容器は、チューブ本体１００、チューブネック２００及びキャップ３００を含む。
【００１４】
上記チューブ本体１００は内容物が収容されるもので、使用者の加圧によって収容された内容物が外部へ排出されるように軟質のチューブで構成される。
【００１５】
上記チューブネック２００は上記チューブ本体１００の上部に結合されて、チューブ本体１００を支持するもので、上端中央部には、チューブ本体１００に収容された内容物が排出されるように、排出孔２１０が形成され、上部外周面には、後述するキャップ３００が結合されるように安着突起３３０が安着される係止突起２２０が形成される。
【００１６】
上記キャップ３００は、上記チューブネック２００の上部で連結部材３１０を通じてチューブネック２００に一体に形成されるもので、上記連結部材３１０は使用者の加圧によって取り外し可能に外周面を囲んで取り外し溝３１１が形成されることが好ましい。
【００１７】
本発明において、上記キャップ３００は連結部材３１０を取り外した状態で、上下１８０度反転した状態で上記チューブネックを囲んで結合されるように構成されることを特徴とし、このために、上記排出孔２１０に結合される排出孔開閉棒３２０と、上記係止突起２２０の下端に安着される安着突起３３０とで構成される。
【００１８】
上記排出孔開閉棒３２０は上記排出孔２１０に結合されて、内容物が外部へ排出されることを遮断し、同時に、チューブ本体１００の内部に空気が流入されることを遮断して、内容物の変質を防止する。上記排出孔開閉棒３２０は上記排出孔２１０よりその大きさが小さく形成されて、キャップ３００の開閉が容易になるように構成されることが好ましい。
【００１９】
また、上記安着突起３３０は上記係止突起２２０の下端に安着されて、上記キャップ３００がチューブネック２００の上方に移動して脱離されることを防止する。
【００２０】
また、上記安着突起３３０は上記排出孔開閉棒３２０と同じくチューブ本体１００の内部に空気が流入されることを遮断して、内容物の変質を防止する。
【００２１】
一方、上記キャップ３００には上記排出孔開閉棒３２０を囲んで突出して形成されて、上記チューブネック２００の上端を加圧する突出部３４０が形成されることが特徴であり、上記突出部３４０は上記排出孔開閉棒３２０及び安着突起３３０と同じくチューブ本体１００の内部に空気が流入されることを遮断して、内容物の変質を防止する。
【００２２】
即ち、本発明のキャップ３００は上記排出孔開閉棒３２０、安着突起３３０及び突出部３４０を通じて上記チューブ本体１００内に空気が流入されることを３重に遮断して、内容物が変質されることを防止することによって、長期間保管した後にも内容物を使用することができるようにする。
【００２３】
一方、本発明は、キャップ３００を結合する際に、シーリングを保持するように、チューブネック２００及びキャップ３００がチューブ本体１００と異なる硬質の材質で構成されることが好ましい。
【００２４】
図面及び明細書に最適な実施例が開示された。ここで特定用語を用いたが、これは本発明を説明するための目的で用いられたものであって、意味の限定や特許請求の範囲に記載された本発明の範囲を制限するためのものではない。従って、本発明が属する技術分野における通常の知識を有する者であれば、これから多様な変形及び均等な他の実施例が可能であることを理解すべきである。また、本発明の真の技術的保護範囲は特許請求の範囲の技術的思想によって定められるべきである。
【図１】
2013543466.tif 000003
【図２】
2013543466.tif 000004
【図３】
2013543466.tif 000005
【図４】
2013543466.tif 000006
【国際調査報告】
2013543466.tif 000007
2013543466.tif 000008
2013543466.tif 000009
2013543466.tif 000010